(57)【要約】【課題】ライトバルブに正確に照光を照射することが可能なようなミラー保持装置を提供する。【解決手段】保持部材２０１と２０２でダイクロイックミラー１０６の下部の端部と中央部を保持し、保持部材２１０のミラー挟み込み部２１３Ａ、２１３Ｂで、ダイクロイックミラー１０６の下部の端部と中央部を保持する。ミラー挟み込み部２１３Ａ、２１３Ｂは、バネ部２１２Ａ、２１２ＢによりＹ軸方向に移動が可能である。ビス保持部２２０に嵌め込まれたネジにより、バネ部２１２Ａ、２１２Ｂの不正力に逆らって、被応力部２１４Ａ，２１４Ｂを押すことにより、ミラー挟み込み部２１３Ａ、２１３ＢのＹ軸方向の位置を、それぞれ単独に決定する。これにより、ダイクロイックミラー１０６の光軸に対する傾きを調整することができる。【選択図】  図３
2004361586.tif 000002
【特許請求の範囲】
【請求項１】
入射光の全てまたは一部を反射するミラーの傾斜を調節するミラー保持装置であって、
床部材上に取り付けられ、前記ミラーの下部を保持する下部保持部材と、
前記床部材上に取り付けられ、前記ミラーの上部を２ヶ所ではさみ、前記床部材に平行な方向に弾性力を加えて前記ミラーの上部を保持する２つのばね部材からなる上部保持部材と、
前記２つのばね部材を押し引きして前記ミラーの前記入射光の光軸に対する傾きを調節する２つのねじと、
前記ねじを保持するねじ保持部材と、
を有することを特徴とするミラー保持装置。
【請求項２】
入射光の全てまたは一部を反射するミラーの傾斜を調節するミラー保持装置であって、
床部材上に取り付けられ、前記ミラーの下部を保持する下部保持部材と、
前記床部材上に取り付けられ、前記ミラーの上部を２ヶ所ではさみ、前記ミラーの上部を保持する２つのばね部材からなる上部保持部材と、
前記２つのばね部材を押し引きして前記ミラーの前記入射光の光軸に対する傾きを調節する２つのねじと、
前記ねじを保持するねじ保持部材と、
を有することを特徴とするミラー保持装置。
【請求項３】
前記ねじ保持部材が、前記床部材上に取り付けられていることを特徴とする請求項１または請求項２に記載のミラー保持装置。
【請求項４】
前記ねじ保持部材が、前記床部材と匿体を構成する天井部材に取り付けられていることを特徴とする請求項１または請求項２に記載のミラー保持装置。
【請求項５】
前記上部保持部材が、前記ミラー上部の中央部と端部の２ヶ所で前記ミラーを保持することを特徴とする請求項１から請求項４のうちいずれか１項に記載のミラー保持装置。
【請求項６】
前記下部保持部材が、前記ミラー下部の中心部と端部の２ヶ所で前記ミラーを保持することを特徴とする請求項１から請求項５のうちいずれか１項に記載のミラー保持装置。
【請求項７】
光源からの光を複数のダイクロイックミラーと少なくとも１枚の偏向ミラーとから構成される色分解光学系で複数の色光に色分解し、偏向光学系で前記色分解光学系によって色分解された各色光毎に配置されるライトバルブに前記各色光を入射して変調し、前記ライトバルブを射出する光を投射レンズで投射する投射型表示装置であって、
前記複数のダイクロイックミラーまたは前記偏向ミラーのうち少なくとも１枚が、請求項１から請求項６のいずれか１項に記載のミラー保持装置で保持されていること
を特徴とする投射型表示装置。
【請求項８】
光源からの光を複数のダイクロイックミラーから構成される色分解光学系で複数の色光に色分解し、前記色分解光学系で色分解された前記各色光の少なくとも１つの色光を偏向する少なくとも１枚の偏向ミラーから構成される偏向光学系で前記各色光毎に配置されるライトバルブに前記各色光を入射して変調し、前記ライトバルブを射出する光を投射レンズで投射する投射型表示装置であって、
前記複数のダイクロイックミラーまたは前記偏向ミラーのうち少なくとも１枚が、請求項１から請求項６のいずれか１項に記載のミラー保持装置で保持されていること
を特徴とする投射型表示装置。
【発明の詳細な説明】
【０００１】
【発明の属する技術分野】
本発明は、ミラー保持装置、及びそれを備えた投射型表示装置に関するものである。
【０００２】
【従来の技術】
ライトバルブを射出した光をダイクロイックミラーと偏向ミラーを使用して色分解し、色分解された各色光を各色光毎に配置したライトバルブに入射させて変調させて射出し、色合成光学系にて色合成して投射レンズにて投射する投射型表示装置は、特許第２５９９３０９号公報（特許文献１）に開示されている。
【０００３】
特許文献１に記載されている投射型表示装置の例を図１０に示す。
光源６１から射出した光源光は光軸上に４５度の入射角度を有するように斜めに配置されたＢ（青）光反射ダイクロイックミラー６２に入射し、反射して進行するＢ光と、透過して入射光軸と同じ光軸で進行するＲ（赤）光とＧ（緑）光の混合光とに色分解される。前記Ｒ光とＧ光の混合光はさらに進行し、光軸上に前記ダイクロイックミラー６２と平行に配置されたＧ光反射ダイクロイックミラー６３に入射し、反射して進行するＧ光と、入射光軸と同じ光軸で進行するＲ光とに色分解される。
【０００４】
前記ダイクロイックミラー６２にて分解されたＢ光は進行し、反射ミラーに入射されて進行方向を変えて進行し、偏光ビームスプリッタ６４Ｂに入射され、偏光分離部にて反射され射出された偏光は、射出面近傍に配置された反射型ライトバルブ６５Ｂに入射する。
【０００５】
前記色分解されたＧ光とＲ光はそれぞれに配置された偏光ビームスプリッタ６４Ｇ、６４Ｒに入射され、偏光分離部にて反射され、射出された偏光は、それぞれの射出面近傍に配置された反射型ライトバルブ６５Ｇ、６５Ｒに入射する。
【０００６】
各色光用の反射型ライトバルブに入射された各色光はそれぞれの色信号によって変調されて反射射出され、各色光用の偏光ビームスプリッタにそれぞれ入射し、偏光分離部を透過して進行射出する光が検光光として取り出される。これら、各ビームスプリッタから取り出された光を、色合成光学系を構成するクロスダイクロイックプリズム６６にそれぞれ異なる入射面から入射させ、色合成を達成して射出面から射出し、投射レンズ６７に入射させ、図示しないスクリーン上にフルカラーの拡大像を投射する。
【０００７】
【特許文献１】特許第２５９９３０９号公報
【０００８】
【発明が解決しようとする課題】
上記構成の投射型表示装置において色分解光学系を構成する二枚のダイクロイックミラー６２、６３と反射偏向ミラーは、入射光軸に対して所定の角度を有するように配置する必要があるが、その調節法については前記特許文献１にはその開示がない。すなわち、光軸に対して所定の角度を有して基板に前記ミラーを貼り付けて取り付ける構成とされているが、その基板自体の製造の際には製造誤差が発生し、さらに、その取り付けにも誤差が発生するので、その配置には所定の誤差を有していることになる。そのため、照射光を精度良くライトバルブに入射させることができない場合がある。
【０００９】
このために、これらの誤差がある場合でも、ライトバルブを照明することができるように、照明領域を大きめに設定するようにしていた。しかし、ライトバルブから外れた照明光が、ライトバルブの側面を照明したり、通過したりして、ゴースト光となったりする問題の他に、ライトバルブへの照明の輝度が低下し、投射像の輝度が低下するという問題を有していた。
【００１０】
本発明はこのような事情に鑑みてなされたものであり、ライトバルブに正確に照光を照射することが可能なようなミラー保持装置、及びこのようなミラー保持装置を使用した投射型表示装置を提供することを課題とする。
【００１１】
【課題を解決するための手段】
前記課題を解決するための第１の手段は、入射光の全てまたは一部を反射するミラーの傾斜を調節するミラー保持装置であって、床部材上に取り付けられ、前記ミラーの下部を保持する下部保持部材と、前記床部材上に取り付けられ、前記ミラーの上部を２ヶ所ではさみ、前記床部材に平行な方向に弾性力を加えて前記ミラーの上部を保持する２つのばね部材からなる上部保持部材と、前記２つのばね部材を押し引きして前記ミラーの前記入射光の光軸に対する傾きを調節する２つのねじと、前記ねじを保持するねじ保持部材と、を有することを特徴とするもの（請求項１）である。
【００１２】
前記課題を解決するための第２の手段は、入射光の全てまたは一部を反射するミラーの傾斜を調節するミラー保持装置であって、床部材上に取り付けられ、前記ミラーの下部を保持する下部保持部材と、前記床部材上に取り付けられ、前記ミラーの上部を２ヶ所ではさみ、前記ミラーの上部を保持する２つのばね部材からなる上部保持部材と、前記２つのばね部材を押し引きして前記ミラーの前記入射光の光軸に対する傾きを調節する２つのねじと、前記ねじを保持するねじ保持部材と、を有することを特徴とする特徴とするもの（請求項２）である。
【００１３】
前記課題を解決するための第３の手段は、前記第１の手段または第２の手段であって、前記ねじ保持部材が、前記床部材上に取り付けられていることを特徴とするもの（請求項３）である。
【００１４】
前記課題を解決するための第４の手段は、前記第１の手段または第２の手段であって、前記ねじ保持部材が、前記床部材と匿体を構成する天井部材に取り付けられていることを特徴とするもの（請求項４）である。
【００１５】
前記課題を解決するための第５の手段は、前記第１の手段から第４の手段のいずれかであって、前記上部保持部材が、前記ミラー上部の中央部と端部の２ヶ所で前記ミラーを保持することを特徴とするもの（請求項５）である。
【００１６】
前記課題を解決するための第６の手段は、前記第１の手段から第５の手段のいずれかであって、前記下部保持部材が、前記ミラー下部の中心部と端部の２ヶ所で前記ミラーを保持することを特徴とするもの（請求項６）である。
【００１７】
前記課題を解決するための第７の手段は、光源からの光を複数のダイクロイックミラーと少なくとも１枚の偏向ミラーとから構成される色分解光学系で複数の色光に色分解し、偏向光学系で前記色分解光学系によって色分解された各色光毎に配置されるライトバルブに前記各色光を入射して変調し、前記ライトバルブを射出する光を投射レンズで投射する投射型表示装置であって、前記複数のダイクロイックミラーまたは前記偏向ミラーのうち少なくとも１枚が、前記第１の手段から第６の手段のいずれかであるミラー保持装置で保持されていることを特徴とする投射型表示装置（請求項７）である。
【００１８】
前記課題を解決するための第８の手段は、光源からの光を複数のダイクロイックミラーから構成される色分解光学系で複数の色光に色分解し、前記色分解光学系で色分解された前記各色光の少なくとも１つの色光を偏向する少なくとも１枚の偏向ミラーから構成される偏向光学系で前記各色光毎に配置されるライトバルブに前記各色光を入射して変調し、前記ライトバルブを射出する光を投射レンズで投射する投射型表示装置であって、前記複数のダイクロイックミラーまたは前記偏向ミラーのうち少なくとも１枚が、前記第１の手段から第６の手段のいずれかであるミラー保持装置で保持されていることを特徴とする投射型表示装置（請求項８）である。
【００１９】
【発明の実施の形態】
以下、本発明の実施の形態の例を、図を用いて説明する。
（第１実施形態）
本発明の第１の実施の形態である投射型表示装置の基本構造を図１に示す。図１は、基本構造を示す概要図であり、平面図に相当する。ランプと放物面形状の凹面鏡から構成される光源１０１から射出される略平行光束の光源光は、レンズ１０２Ａ−ａを平面的にマトリクス形状に配置し、入射光源光束を複数の中間光束に分割する第１レンズ板１０２Ａと前記レンズの焦点位置にそれぞれ対応してレンズ１０２Ｂ−ａを同様に平面的にマトリクス形状に配置した第２レンズ板１０２Ｂとからなるインテグレータと、当該インテグレータの第２レンズ板１０２Ｂのレンズ１０２Ｂ−ａ上の第２光源像から射出される各光束を後述のライトバルブ上に重畳照明するコンデンサレンズ１０２Ｃとから構成される照明光学系に入射して照明光として射出する。
【００２０】
照明光学系を射出した照明光は、青（Ｂ）光を反射し、赤（Ｒ）光と緑（Ｇ）光を透過する光学特性を有するダイクロイックミラー１０３Ｂと、Ｒ光とＧ光を反射し、Ｂ光を透過する光学特性を有するダイクロイックミラー１０３ＲＧとを互いに直交して配置したクロスダイクロイックミラー１０３に入射し、互いに入射光軸に直交して、互いに反対方向に進行するＢ光と、Ｒ光とＧ光の混合光とに色分解される。
【００２１】
前記色分解されたＢ光は反射偏向ミラー１０４に入射し、進行方向を変えて進行し、Ｂ光用に配置された偏光ビームスプリッタ１０７Ｂに入射し、偏光分離部で反射され、反射型ライトバルブ１０８Ｂに入射して、反射型ライトバルブ１０８Ｂを照明する。反射型ライトバルブ１０８Ｂは、一体化部材１１２Ｂにより偏光ビームスプリッタ１０７Ｂと一体化されている。
【００２２】
前記色分解されたＲ光とＧ光の混合光は反射偏向ミラー１０５に入射し、進行方向を変えて進行し、Ｇ光を反射し、Ｒ光を透過する特性を有するダイクロイックミラー１０６に入射し、反射されて進行するＧ光と、透過して進行するＲ光に色分解される。前記色分解されたＲ光と、Ｇ光はそれぞれに配置された偏光ビームスプリッタ１０７Ｒ、１０７Ｇに入射し、それぞれ、反射型ライトバルブ１０８Ｒ、１０８Ｇに入射して、反射型ライトバルブ１０８Ｒ、１０８Ｇを照明する。反射型ライトバルブ１０８Ｒ、１０８Ｇは、それぞれ、一体化部材１１２Ｒ、１１２Ｇによって、偏光ビームスプリッタ１０７Ｒ、１０７Ｇと一体化されている。
【００２３】
前記各色光用の反射型ライトバルブ１０８Ｒ、１０８Ｇ、１０８Ｂにて変調されて反射射出した各色光は、それぞれ、偏光ビームスプリッタ１０７Ｒ、１０７Ｇ、１０７Ｂに入射し、変調光が偏光分離部を透過する光として検光して取りだされる。そして、偏光ビームスプリッタ１０７Ｒ、１０７Ｇ、１０７Ｂとそれぞれ光学ガラス部材１１１Ｒ、１１１Ｇ、１１１Ｂを介して接着により一体化した構造としたクロスダイクロイックプリズム１０９に入射する。
【００２４】
クロスダイクロイックプリズム１０９中には、Ｒ光反射ダイクロイク膜１０９ＲとＢ光反射ダイクロイック膜１０９Ｂが直交して配置されており、これらによって色合成を達成して合成光を射出し、投射レンズ１１０に入射させて、図示しないスクリーン上に拡大フルカラー像を投射する。
【００２５】
前記光源１０１、照明光学系１０２、クロスダイクロイックミラー１０４、偏向ミラー１０４、１０５は床部材１２３上に配置されている。このうちの偏向ミラーは後述の本発明の方法によって床部材１２３へ取り付けられている。床部材１２３の図に示す端には、投射レンズ１１０を取り付けるマウント部材１２１が床部材１２３に直交して配置されている。
【００２６】
マウント部材１２１には、取り付け部材１２２が、床部材１２３との間に空隙を形成し、床部材１２３と平行になるように取り付けられている。そして、一体化された構成を有する反射型ライトバルブ１１２Ｒ、１１２Ｇ、１１２Ｂ、偏光ビームスプリッタ１０７Ｒ、１０７Ｇ、１０７Ｂ、色合成系のクロスダイクロイックプリズム１０９は、その一体化された部材の内のクロスダイクロイックプリズム１０９の、紙面に平行な下の面を取り付け部材１２２の上面に接着して取り付ける構成となっている。さらに、ダイクロイックミラー１０６は後述の本発明の方法により取り付け部材１２２の上に配置される。
【００２７】
前述したように、ダイクロイックミラー１０６と偏向ミラー１０４、１０５が本発明に係る保持方法によって保持されているのは、図１の構成の説明から分かるように、Ｒ光、Ｇ光、Ｂ光が各色光用のライトバルブ１０８Ｒ、１０８Ｇ、１０８Ｂに入射しこれらを照明する際に、その方向を最終的に決定するのは、Ｒ光については偏向ミラー１０５、Ｇ光についてはダイクロイックミラー１０６、Ｂ光については偏向ミラー１０４であるからである。
【００２８】
図２から図６を用いて、本発明の実施形態の第１の例であるミラーの保持方法について説明する。この実施の形態は、前記Ｒ光についての偏向ミラー１０５、Ｇ光についてのダイクロイックミラー１０６、Ｂ光についての偏向ミラー１０４に適用するものであるが、図２から図６においては、ダイクロイックミラー１０６を例として説明する、他の２枚の偏向ミラー１０４、１０５についても、ダイクロイックミラー１０６と同じような保持方法を採用することができる。
【００２９】
各図において方向ならびに面の配置を説明するために互いに直交するＸ軸、Ｙ軸、Ｚ軸を定義するが、その方向は、図に示すように、ダイクロイックミラー１０６の長さ方向をＸ軸方向、その高さ方向をＺ軸方向、Ｘ−Ｚ平面にに垂直な方向をＹ軸方向と定義し、そのＸ、Ｙ、Ｚ軸を用いて方向等を説明する。
【００３０】
まず図４を用いてダイクロイックミラー１０６を取り付け部材１２２に取り付ける方法について説明する。取り付け部材１２２は、ダイクロイックミラー１０６の床部材となるものである。図示されていない取り付け部材１２２の前記ダイクロイックミラー１０６を保持する部分には、ミラー１０６の下部の端部をその取り付け位置を決定して保持する保持部材２０１と、その下部中央部を挟み込んで保持する保持部材２０２とが形成されている。これら保持部材２０１、２０２は、所定の弾性常数を有する変型可能な構造を有し手いる。そして、これら保持部材２０１、２０２にそれぞれ隣接して配置されたミラーの高さ調節部材２０３、２０４の上にミラー１０６の下部を配置して、それぞれの保持部材２０１、２０２に挟み込んで、取り付け部材１２２上に配置する。
【００３１】
次に、図２、図３、図５、図６を用いて、上記構成にて取り付け部材１２２上に取り付けたダイクロイックミラー１０６のミラー面の光軸に対する傾き角度を調節する方法について説明する。
【００３２】
図２は、上記保持ならびに調節を行うための取り付け部材１２２上に取り付けられたミラー１０６の保持部材２１０の斜視構成図を示す図である。保持部材２１０は前記ＸＹ平面に平行な取り付け面を構成する取り付け部材１２２に取り付ける部分である取り付け部２１１と、取り付け部２１１から直交してＺ軸に平行に折り曲げて、その折り曲げ平面部の上部から当該部に対して垂直方向であるＹ軸方向に２つのバネ部２１２Ａ、２１２Ｂの両端部を一体化した同一部が、前記上部から延設された部分となっている構成となっている。
【００３３】
前記延設部から＋Ｘ方向と−Ｘ方向にそれぞれ形成された２つのバネ部２１２Ａ、２１２Ｂは互いにその面がＸＹ面にたいして垂直となるように前述の＋Ｘ方向と−Ｘ方向の反対方向に曲げられ、その先端部はダイクロイクミラー１０６と平行な、ＸＺ平面と平行な平面となっており、さらにその両先端面にはそれぞれダイクロイックミラー１０６の上部の先端部と中央部をそれぞれ挟み込んで保持するミラー挟み込み保持部２１３Ａ、２１３Ｂが設けられ、さらに、その先には、前記両バネ部のバネ性を利用して当該バネ部２１２Ａ、２１２Ｂを＋Ｙ軸方向に変型させて、保持したミラーの傾きをかえるために応力を加えるそれぞれＸＺ平面に平行な被応力部材２１４Ａ、２１４Ｂがそれぞれ両バネ部２１２Ａ、２１２Ｂの先端部に連結して形成されている。
【００３４】
最初に前記ミラー挟み込み保持部２１３Ａ、２１３Ｂにてミラー１０６の上端部、上中央部を保持すると、バネ部２１２Ａ、２１２Ｂによってミラー上部は本来の位置よりも−Ｙ軸方向の位置に保持される構成となっている。
【００３５】
図３は斜視構成図であって図２と異なる方向から眺めた図であり、当該図では前記保持部材２１０の取り付け部２１１の構造ならびに、その取り付け部２１１の上先端部からの延設部とバネ部２１２Ａ、２１２Ｂの構造を示している。
【００３６】
以下、前記保持部材２１０のバネ変型のための応力の加え方を説明する。図１に示された取り付け部材１２２上には、ビス保持部２２０が取り付けられており、当該ビス保持部２２０の上部の両側にはビスが２個取り付けられている。図３においては、ビス保持部２２０は保持部材２１０と距離をおいた図となっているが、実際には保持部材２１０に隣接して配置され、図示した両ビスの先端部は前記被応力部材２１４Ａ、２１４Ｂ部に当接した構成となっている。
【００３７】
この状態で、被応力部材２１４Ａを、当接したビスを＋Ｙ軸方向にねじ込むことにより変型させ、当該先端部の＋Ｙ軸方向への移動により、前記バネ部２１２Ａ、２１２Ｂの先端部に取り付けた取り付け部に取り付けられたダイクロイックミラー１０６の当該部を移動させて当該ミラーの光軸に対する傾きを調節する。
【００３８】
被応力部材２１４Ａの移動が＋Ｙ軸方向へ移動すると、ミラー挟み込み保持部２１３Ａが移動する。ミラー挟み込み保持部２１３Ａは、ミラー１０６の端部を挟み込んでいるので、これにより、ミラー１０６のＺ軸に対する回転角を変化させることができる。このとき、保持部材２０１が応力を受けるが、弾性を有するのでこの変形に倣うことができる。
【００３９】
被応力部材２１４Ｂが＋Ｙ軸方向への移動すると、ミラー挟み込み保持部２１３Ｂが移動する。ミラー挟み込み保持部２１３Ｂは、ミラー１０６の中央部を挟み込んでいるので、これにより、ミラー１０６のＸＺ平面に対する傾倒を調節することが可能である。このとき、保持部材２０２が応力を受けるが、弾性を有するのでこの変形に倣うことができる。このようにして、ダイクロイックミラー１０６の光軸に対する傾きを調節することが可能となる。
【００４０】
よって、図１において、当該ミラーに入射して反射するＧ光のライトバルブ１０８Ｇへの入射Ｇ光の入射角度を調整することが可能となり、効率の良い照明が可能となる。
【００４１】
本実施形態から理解できるように、本実施形態にて使用する保持部材２１０はダイクロイックミラー１０６の右または左半分の後ろ側に距離を有して配置される。すなわち、ミラー１０６の光軸に該当する中心位置からずれた位置に配置する構造となっているので、当該部材を用いても、図１における入射光のうち、透過するＲ光についても、当該ミラー１０６の長さを考慮すれば、前記保持部材２１０、ビス保持部２２０を配置しても、これらにより遮光されないで全光量の通過を担保する構成とすることが可能となる。
【００４２】
図５はＺ軸方向から眺めた平面図であり、ミラー１０６のミラー挟み込み保持部２１３Ａ、２１３Ｂの構造をより明確にするものである。
図６はＸ軸方向から眺めた正面図である。ただし、この場合には、ビス保持部２２０は、図１には記載されていないが、取り付け部材１２２と共に筐体を形成する筐体部材の天井部材１２４に取り付けられている。図６は、ミラー１０６を上記の方法により保持した状態を示している。ミラー１０６の傾き調節前はまずバネ２１２Ａ（２１３Ｂ）の機能によりミラーの上部は本来の位置より−Ｙ方向に傾いており、当該傾きをネジにより、＋Ｙ軸方向に動かすことにより調節することが可能となり、バネ部２１２Ａ、２１２Ｂの有する−Ｙ軸方向への弾性力によって、一度調節すればその後では、その調節位置が変型することはないことが理解できる。
【００４３】
上記実施形態にて使用したミラーはダイクロイックミラー１０６であったが、本実施形態に使用したミラーの保持ならびに傾き調節方法は、図１において、ライトバルブ１０８Ｂ、１０８Ｒへの入射角度を決定することになる偏向ミラー１０４、１０５の保持ならびにその傾き調節方法に関しても採用できることは言うまでもない。
【００４４】
本実施形態においては、保持部材２１０は全てを合成樹脂部材の一体化部材から構成されたものから構成され、その形状から前記バネ部２１２Ａ、２１２Ｂにのみ弾性を有する構成としたが、他の構造として、前記バネ部２１２Ａ、２１２Ｂのみに、例えばバネ性の有効な金属を使用し、他の構成部を樹脂又は他の金属とすることも可能である。
【００４５】
（第２実施形態）
図７、図８、図９を用いて第２の実施の形態の形態であるミラーの保持及び傾き調節法について説明する。図において第１の実施形態と同様にＸ軸、Ｙ軸、Ｚ軸を定義し、進行方向ならびに平面の配置方向についてこれを用いて説明する。
【００４６】
図７、図８には斜視構成図を示す。図８において、ＸＹ平面に平行な図１の床部材１２３上には保持部材３１０が設けられている。ミラー１０５の下端部と下中央部を保持部材３０１、３０２で保持し、ミラーの１０５下部の高さ位置を決定する高さ調節部材３０３、３０４を用いて当該ミラーを仮保持し、その状態で、保持部材３１０を用いて、ミラー１０５の上部端、上部中央部を保持する。
【００４７】
図７に示すように、前記保持部材３１０は、前記床部材１２３へ取り付けられた取り付け部３１１に対して折り曲げられて、平行なバネ部３１２Ａ、３１２Ｂが形成され、その面は床部材１２３と平行な前記取り付け部と直交せずに、当該部からその上部に行くに従いやや−Ｙ軸方向に斜めになるように曲げられて形成され、その上先端部は折り曲げられて、それぞれその先端部にはそれぞれミラー１０５を挟み込んでその上部を保持する保持部３１３Ａ、３１３Ｂ（図８）が形成されている。
【００４８】
そして、上記構成にて保持したミラー１０５は、第１の実施形態において図３に示されたビス保持部２２０と同様な部材であるビス保持部３３０で、バネ部３１２Ａ、３１２Ｂの上部をネジで押すことにより、ミラー１０５の光軸に対する傾きを調節し、その傾きを決定する。図９はＸ軸方向から見た正面図であって、天井部材１２４に形成されたビス保持部３３０にネジを取り付けて、当該ネジによって保持部３１３Ａ、３１３Ｂを押し、その位置を調節した位置を示している。前述のように保持部３１３Ａ、３１３Ｂの上部は当初は−Ｙ方向にあるために、当該バネ部上部をＹ方向に移動させれば、当該バネ部の弾性によってその力は−Ｙ方向に働いているので、常に安定したミラーの保持が可能となる。
【００４９】
以上説明した、本発明の実施の形態であるミラーの保持方法と光軸に対する傾きの調節法は、図１に記載の投射型表示装置に限定されるものではない。例えば、光源光を複数のダイクロイックミラーにてＲ光、Ｇ光、Ｂ光に色分解し、そのうちの一部の色の光又は全部の色の光を複数の偏向ミラーを用いて偏向して、透過型ライトバルブへ入射させて変調して取りだし、色合成光学系にて色合成して投射レンズにて投射する構成の投射型表示装置において、前記ダイクロイックミラ−や偏向ミラーであって、そのミラーの光軸に対する傾きを調節する要がある場合には、そのミラーの保持ならびに傾きの調節は本実施形態と同様の方法を用いることは可能であり、同様の効果を奏する投射型表示装置を提供することが可能となる。
【００５０】
【発明の効果】
以上説明したように、本発明によれば、ライトバルブに正確に照光を照射することが可能なようなミラー保持装置、及びこのようなミラー保持装置を使用した投射型表示装置を提供することができる。
【図面の簡単な説明】
【図１】本発明の実施の形態である投射型表示装置の基本構成図を示す図である。
【図２】本発明の実施の形態である第１のミラー保持装置を示す斜視図である。
【図３】本発明の実施の形態である第１のミラー保持装置及びミラーの傾き調節方法を示す斜視図である。
【図４】本発明の実施の形態である第１のミラー保持装置における、ミラーの床部への保持方法を示す斜視図である。
【図５】本発明の実施の形態である第１のミラー保持装置を示す平面図である。
【図６】本発明の実施の形態である第１のミラー保持装置を示す正面図である。
【図７】本発明の実施の形態である第２のミラー保持装置を示す斜視図である。
【図８】本発明の実施の形態である第２のミラー保持装置及びミラーの傾き調節方法を示す斜視図である。
【図９】本発明の実施の形態である第２のミラー保持装置及びミラーの傾き調節方法を示す正面図である。
【図１０】従来の投射型表示装置の基本構成を示す図である。
【符号の説明】
１０１…光源、１０２…照明装置、１０３…クロスダイクロイックミラー、１０４，１０５…偏向ミラー、１０６…ダイクロイックミラー、１０７Ｒ，１０７Ｇ，１０７Ｂ…偏光ビームスプリッタ、１０８Ｒ，１０８Ｇ，１０８Ｂ…反射型ライトバルブ、１０９…クロスダイクロイックプリズム、１１０…投射レンズ、１１１Ｒ，１１１Ｇ，１１１Ｂ…偏光ビームスプリッタとクロスダイクロイックプリズムとの一体化部材、１１２Ｒ，１１２Ｇ，１１２Ｂ…ライトバルブと偏光ビームスプリッタとの一体化部材、１２１…マウント部材、１２２…取り付け部材、１２３…床部材、１２４…天井部材、２０１…保持部材、２０２…保持部材、２０３…調節部材、２０４…調節部材、２１０…保持部材、２１１…取り付け部、２１２Ａ、２１２Ｂ…バネ部、２１３Ａ、２１３Ｂ…ミラー挟み込み保持部、２１４Ａ，２１４Ｂ…被応力部材、２２０…ビス保持部、３０１…保持部材、３０２…保持部材、３０３…高さ調節部材、３０４…３１０…保持部材、３１１…取り付け部、３１２Ａ，３１２Ｂ…バネ部、３１３Ａ，３１３Ｂ…保持部、３３０…ビス保持部
【図１】
2004361586.tif 000003
【図２】
2004361586.tif 000004
【図３】
2004361586.tif 000005
【図４】
2004361586.tif 000006
【図５】
2004361586.tif 000007
【図６】
2004361586.tif 000008
【図７】
2004361586.tif 000009
【図８】
2004361586.tif 000010
【図９】
2004361586.tif 000011
【図１０】
2004361586.tif 000012